(57)【要約】【課題】鉄筋コンクリート構造の床板の骨組みに鉄筋組み込みデッキを用いた場合でも、工事終了時に床板部分の工事用穴を鉄筋コンクリートで容易に埋めることができ、しかもその部分の厚み方向の耐圧縮強度を十分に確保することができるスラブ開口養生鉄筋及び鉄筋組み込みデッキを提供すること。【解決手段】工事用穴内に平行に配置される第１の平行鉄筋２１，２２と、それに対してスライド自在に係合する第１の移動鉄筋３１と、工事用穴内に第１の平行鉄筋２１，２２と異なる方向に平行に配置される第２の平行鉄筋２３，２４と、それに対してスライド自在に係合する第２の移動鉄筋３２とが設けられ、第１と第２の平行鉄筋２１，２２，２３，２４の少なくとも一方が鉛直方向に間隔をあけて複数対配置されて、鉛直方向に間隔をあけて配置された平行鉄筋どうしが筋交い状鉄筋２７によって連結固定されている。【選択図】      図１
2005009223.tif 000002
【特許請求の範囲】
【請求項１】
鉄筋コンクリート構造の床板に形成された工事用穴を工事終了時に鉄筋コンクリートで埋めるためのスラブ開口養生鉄筋であって、
上記工事用穴内にその穴の開口部側から見て平行に配置される第１の平行鉄筋と、上記第１の平行鉄筋に対してスライド自在に係合する一本又は複数の第１の移動鉄筋と、上記工事用穴内にその穴の開口部側から見て上記第１の平行鉄筋と異なる方向に平行に配置される第２の平行鉄筋と、上記第２の平行鉄筋に対してスライド自在に係合する一本又は複数の第２の移動鉄筋とが設けられたスラブ開口養生鉄筋において、
上記第１と第２の平行鉄筋の少なくとも一方の平行鉄筋が鉛直方向に間隔をあけて複数対配置され、上記鉛直方向に間隔をあけて配置された平行鉄筋どうしが筋交い状鉄筋によって連結固定されていることを特徴とするスラブ開口養生鉄筋。
【請求項２】
上記第１又は第２の移動鉄筋のうち上記筋交い状鉄筋と連結された平行鉄筋に対して係合する移動鉄筋をその平行鉄筋に対して固定するための固定部材が設けられている請求項１記載のスラブ開口養生鉄筋。
【請求項３】
上記第１又は第２の移動鉄筋のうち上記筋交い状鉄筋と連結された平行鉄筋に対して係合する移動鉄筋が、上記筋交い状鉄筋によって連結固定された複数対の平行鉄筋を囲む矩形状に形成されている請求項１又は２記載のスラブ開口養生鉄筋。
【請求項４】
上記矩形状に形成された移動鉄筋を上記筋交い状鉄筋と連結された複数対の平行鉄筋の少なくとも一つに固定及び固定解除自在なネジ止め部材が設けられている請求項３記載のスラブ開口養生鉄筋。
【請求項５】
上記ネジ止め部材が上記筋交い状鉄筋の端部にも係合して上記移動鉄筋の固定位置の位置決めが行われるようになっている請求項４記載のスラブ開口養生鉄筋。
【請求項６】
上記床板にコンクリートを流す際に上記工事用穴の内周面となる部分に配置される型枠として機能する型枠鉄筋が、上記第１及び第２の平行鉄筋と連結して設けられている請求項１、２、３、４又は５記載のスラブ開口養生鉄筋。
【請求項７】
鉄筋コンクリート構造の床板の骨組みとなる鉄筋組み込みデッキであって、鉛直方向に間隔をあけて配置された鉄筋どうしがラチス筋によって連結固定され、工事用穴になる部分の鉄筋を欠損させたものにおいて、
上記工事用穴内にその穴の開口部側から見て平行に配置される第１の平行鉄筋と、上記第１の平行鉄筋に対してスライド自在に係合する一本又は複数の第１の移動鉄筋と、上記工事用穴内にその穴の開口部側から見て上記第１の平行鉄筋と異なる方向に平行に配置される第２の平行鉄筋と、両端が上記第２の平行鉄筋に対してスライド自在に係合する一本又は複数の第２の移動鉄筋とが設けられて、上記第１と第２の平行鉄筋の少なくとも一方の平行鉄筋が鉛直方向に間隔をあけて複数対配置され、上記鉛直方向に間隔をあけて配置された平行鉄筋どうしが筋交い状鉄筋によって連結固定されたスラブ開口養生鉄筋を、
上記鉄筋欠損部分に配置したことを特徴とする鉄筋組み込みデッキ。
【発明の詳細な説明】
【０００１】
【発明の属する技術分野】
この発明は、鉄筋コンクリート構造の床板に形成された工事用穴を工事終了時に鉄筋コンクリートで埋めるためのスラブ開口養生鉄筋と、そのスラブ開口養生鉄筋を用いた鉄筋組み込みデッキに関する。
【０００２】
【従来の技術】
鉄筋コンクリートの建築物を施工する際には、床下において各種の工事を行うために、鉄筋コンクリート構造の床板（スラブ）に通称「だめ穴」と呼ばれる工事用穴をあけておく場合がある。
【０００３】
そのような工事用穴を形成するためには、工事用穴になる部分に床板用の鉄筋を張らずに工事用穴の形に型枠を設置して、その型枠の周囲にコンクリートを流し込んでいる。
【０００４】
そして、工事中は工事用穴の開口を鉄板等で塞いでおいて必要な時にはそれを開き、工事終了時に、工事用穴に鉄筋を張ってからコンクリートを流し込んで穴を埋めている。
【０００５】
しかし上述のような工程では、床板に鉄筋を張ってコンクリートを打ち、その後、また工事用穴の部分にだけ鉄筋を張る工事をしなければならないので、はなはだ面倒である。
【０００６】
また、工事用穴の部分に張られる鉄筋は最初に床板の本体部分に打たれたコンクリートと結合していないので、工事用穴を埋めた部分の強度が低くなることは避けられない。
【０００７】
そこで従来は、工事用穴内にその穴の開口部側から見て平行に配置される第１の平行鉄筋と、第１の平行鉄筋に対してスライド自在に係合する一本又は複数の第１の移動鉄筋と、工事用穴内にその穴の開口部側から見て第１の平行鉄筋と異なる方向に平行に配置される第２の平行鉄筋と、第２の平行鉄筋に対してスライド自在に係合する一本又は複数の第２の移動鉄筋とが設けられたスラブ開口養生鉄筋を工事用穴内に配置することにより、工事用穴の形成と穴埋めを簡単な工程で行うことができるようにしていた（特許文献１）。
【０００８】
【特許文献１】
特許第３０８４３４９号公報
【０００９】
【発明が解決しようとする課題】
鉄筋コンクリート構造の床板の骨組みとなる床鉄筋と捨型枠とを一体化したいわゆる鉄筋組み込みデッキは、工程の簡素化という点での効果が大きいが、ロングスパン／ノンサポートを目的としているので、床板の厚み方向に間隔をあけて複数の鉄筋を配置して、その複数の鉄筋どうしをラチス筋と称される鉛直方向の補強鉄筋で連結固定することにより、厚み方向の耐圧縮強度を増大させている。
【００１０】
したがって、そのような厚み方向の耐圧縮強度の大きな床板部分の工事用穴の穴埋めに特許文献１に記載されたスラブ開口養生鉄筋を単純に用いると、穴埋め後にその部分の厚み方向の耐圧縮強度が不十分になってしまう不都合があった。
【００１１】
そこで本発明は、鉄筋コンクリート構造の床板の骨組みに鉄筋組み込みデッキを用いた場合でも、工事終了時に床板部分の工事用穴を鉄筋コンクリートで容易に埋めることができ、しかもその部分の厚み方向の耐圧縮強度を十分に確保することができるスラブ開口養生鉄筋及び鉄筋組み込みデッキを提供することを目的とする。
【００１２】
【課題を解決するための手段】
上記の目的を達成するため、本発明のスラブ開口養生鉄筋は、鉄筋コンクリート構造の床板に形成された工事用穴を工事終了時に鉄筋コンクリートで埋めるためのスラブ開口養生鉄筋であって、工事用穴内にその穴の開口部側から見て平行に配置される第１の平行鉄筋と、第１の平行鉄筋に対してスライド自在に係合する一本又は複数の第１の移動鉄筋と、工事用穴内にその穴の開口部側から見て第１の平行鉄筋と異なる方向に平行に配置される第２の平行鉄筋と、第２の平行鉄筋に対してスライド自在に係合する一本又は複数の第２の移動鉄筋とが設けられたスラブ開口養生鉄筋において、第１と第２の平行鉄筋の少なくとも一方の平行鉄筋が鉛直方向に間隔をあけて複数対配置され、鉛直方向に間隔をあけて配置された平行鉄筋どうしが筋交い状鉄筋によって連結固定されているものである。
【００１３】
なお、第１又は第２の移動鉄筋のうち筋交い状鉄筋と連結された平行鉄筋に対して係合する移動鉄筋をその平行鉄筋に対して固定するための固定部材が設けられていると、強度的なメリットが大きい。
【００１４】
また、第１又は第２の移動鉄筋のうち筋交い状鉄筋と連結された平行鉄筋に対して係合する移動鉄筋が、筋交い状鉄筋によって連結固定された複数対の平行鉄筋を囲む矩形状に形成されていてもよい。
【００１５】
その場合、矩形状に形成された移動鉄筋を筋交い状鉄筋と連結された複数対の平行鉄筋の少なくとも一つに固定及び固定解除自在なネジ止め部材が設けられていてもよく、その場合に、ネジ止め部材が筋交い状鉄筋の端部にも係合して移動鉄筋の固定位置の位置決めが行われるようになっていてもよい。
【００１６】
また、床板にコンクリートを流す際に工事用穴の内周面となる部分に配置される型枠として機能する型枠鉄筋が、第１及び第２の平行鉄筋と連結して設けられていてもよい。
【００１７】
また、本発明の鉄筋組み込みデッキは、鉄筋コンクリート構造の床板の骨組みとなる鉄筋組み込みデッキであって、鉛直方向に間隔をあけて配置された鉄筋どうしがラチス筋によって連結固定され、工事用穴になる部分の鉄筋を欠損させたものにおいて、上記のごときスラブ開口養生鉄筋を鉄筋欠損部分に配置したものである。
【００１８】
【発明の実施の形態】
図面を参照して実施例を説明する。
図２は、鉄筋コンクリート構造の床板中に埋め込まれるトラス構造の鉄筋１２，１３，１４と底板デッキ１１とを一体化した鉄筋組み込みデッキ１０の平面図であり、その鉄筋組み込みデッキ１０中には、床板に形成される工事用穴を工事終了時に鉄筋コンクリートで埋めるためのスラブ開口養生鉄筋２０が配置されている。
【００１９】
鉄筋組み込みデッキ１０は、その側面図である図３にも示されるように、同じ高さに平行に配置された一対の下弦筋１２とそれに平行に中央上方に配置された上弦筋１３とをラチス筋１４で連結固定（溶接）して断面形状が二等辺三角形のトラスを形成し、複数のトラスを底板デッキ１１上に並列に抵抗溶接した構成になっている。
【００２０】
なお、コンクリート打ちの工程においては、多数の配力筋１５が上弦筋１３に対して直角方向にトラスの上端側に取り付けられ、底板デッキ１１は捨て型枠として使用される。
【００２１】
そのような鉄筋組み込みデッキ１０の工事用穴になる部分は鉄筋１２，１３，１４と底板デッキ１１を欠損させてあり、その部分に、図２に示されるスラブ開口養生鉄筋２０が配置されている。
【００２２】
なお、図２では、鉄筋組み込みデッキ１０の下弦筋１２及び上弦筋１３とスラブ開口養生鉄筋２０とを連結するための鉄筋の図示を省略してあるが、その部分については図６を参照して後述する。
【００２３】
スラブ開口養生鉄筋２０の基本的な骨組みは、工事用穴の開口方向から見て井桁状に配置された平行鉄筋２１〜２４の部分によって構成されていて、その周囲を囲む状態に型枠鉄筋２５が配置されている。鉄筋組み込みデッキ１０の底板デッキ１１は、スラブ開口養生鉄筋２０の型枠鉄筋２５に沿って欠損させてある。
【００２４】
図４はスラブ開口養生鉄筋２０の基本的な骨組み部分を示しており、前述の鉄筋組み込みデッキ１０の下弦筋１２と近い高さの位置に、一対の第１の下側平行鉄筋２２が下弦筋１２に対して平行方向に配置されて、それに対して直角に配置された一対の第２の下側平行鉄筋２４と溶接され、それらが井桁状をなしている。
【００２５】
また、鉄筋組み込みデッキ１０の上弦筋１３と近い高さの位置には、一対の第１の上側平行鉄筋２１と一対の第２の上側平行鉄筋２３とが、第１の下側平行鉄筋２２と第２の下側平行鉄筋２４の上方に井桁状に配置されて溶接されている。
【００２６】
そのような上下二対の井桁状の平行鉄筋２１〜２４の四隅には、垂直に配置された四隅連結筋２６が各々溶接されて全体の形状が固定されている。なお、鉄筋組み込みデッキ１０の鉄筋（下弦筋１２、上弦筋１３）と平行に配置されている第１の平行鉄筋２１，２２の方が、それと直角方向の第２の平行鉄筋２３，２４より長く形成されている。
【００２７】
そして、鉄筋組み込みデッキ１０の鉄筋１２，１３と平行に配置されている第１の上側平行鉄筋２１と第１の下側平行鉄筋２２との間には、斜め方向に複数の筋交い状鉄筋２７が配置され、それらが互いに溶接されて連結固定されている。
【００２８】
この実施例においては、筋交い状鉄筋２７は第１の上側平行鉄筋２１と第１の下側平行鉄筋２２との間に各々四本配置されていて、そのうち二本ずつが平行に、他の二本に対して傾斜方向が逆向きになる状態に配置されている。ただし、筋交い状鉄筋２７の形状や配置方向等は、その他各種の態様をとることができる。
【００２９】
そのように構成されたスラブ開口養生鉄筋２０は、前述のように、そして部分的な正面図である図５に略示されるように、第１の上側平行鉄筋２１が鉄筋組み込みデッキ１０の上弦筋１３に対して近い高さにあり、第１の下側平行鉄筋２２が鉄筋組み込みデッキ１０の下弦筋１２に対して近い高さにある。
【００３０】
そして、部分的な平面図である図６に示されるように、スラブ開口養生鉄筋２０の第１の上側平行鉄筋２１と鉄筋組み込みデッキ１０の上弦筋１３とが上側連結固定筋２８によって連結固定（溶接）され、スラブ開口養生鉄筋２０の第１の下側平行鉄筋２２と鉄筋組み込みデッキ１０の下弦筋１２とが下側連結固定筋２９によって連結固定（溶接）され、それによってスラブ開口養生鉄筋２０が鉄筋組み込みデッキ１０内に固定されている。
【００３１】
図７は、スラブ開口養生鉄筋２０の外壁を構成している型枠鉄筋２５の正面図であり、長方形のリング状に形成した鉄筋を多少の隙間をあけて複数段（例えば５〜１０段程度）積み重ねたものである。
【００３２】
図２に戻って、スラブ開口養生鉄筋２０には、上述のように配置された第１の平行鉄筋２１，２２に対してスライド自在に係合する第１の移動鉄筋３１と、第２の平行鉄筋２３，２４に対してスライド自在に係合する第２の移動鉄筋３２とが設けられている。
【００３３】
第１の移動鉄筋３１と第２の移動鉄筋３２は、型枠鉄筋２５の内側のほぼ全範囲において９０°相違する方向に自由にスライドさせることができ、図２に示されるように、第１と第２の移動鉄筋３１，３２をともに外方に寄せれば、型枠鉄筋２５内に大きな開口が形成され、工事用穴としての空間が確保される。なお、この実施例においては、第１の移動鉄筋３１は五本、第２の移動鉄筋３２は二本配置されているが、各々少なくとも一本設けられていればよい。
【００３４】
図８は、第２の平行鉄筋２３，２４に対する一本の第２の移動鉄筋３２の係合状態を示しており、第２の移動鉄筋３２は、四本の第２の平行鉄筋２３，２４を囲む長方形のリング状に折り曲げて形成され、第２の平行鉄筋２３，２４に沿ってスライドさせることができる。第２の移動鉄筋３２の継ぎ目部分は、ある程度の長さ重ね合わされており、その部分を溶接してもよい。
【００３５】
図９は、第１の平行鉄筋２１，２２に対する一本の第１の移動鉄筋３１の係合状態を示しており、第１の移動鉄筋３１は、四本の第１の平行鉄筋２１，２２を囲む長方形のリング状に折り曲げて形成され、第１の平行鉄筋２１，２２に沿ってスライドさせることができる。第１の移動鉄筋３１の継ぎ目部分も、ある程度の長さ重ね合わされており、その部分を溶接してもよい。
【００３６】
図１は、第１の平行鉄筋２１，２２に対する五本の第１の移動鉄筋３１の係合状態を示しており、工事用穴を最後に塞ぐためにコンクリート打ちをする際には、このように五本の第１の移動鉄筋３１をほぼ均等の間隔で配置する。なお、第２の移動鉄筋３２の図示は省略されている。
【００３７】
また、各第１の移動鉄筋３１が所望の位置から意に反してスライドしてしまわないようにするために、第１の移動鉄筋３１部分の側面図である図１０に示されるように、第１の移動鉄筋３１を四本の第１の平行鉄筋２１，２２の少なくとも一本に固定及び固定解除自在なネジ止め部材３４，３５を設けるとよい。
【００３８】
この実施例においては、第１の平行鉄筋２１，２２の各々に係合する係合部材３４に対してボルト３５が螺合しており、そのボルト３５を締め込むと、ボルト３５の先端が第１の移動鉄筋３１に当接して固定されるようになっている。
【００３９】
そして係合部材３４は、図１１に略示されるように、筋交い状鉄筋２７の端部を挟み付ける状態になるように形成されているので、第１の移動鉄筋３１を各々筋交い状鉄筋２７の端部部分に位置決め固定することができ、それによって最終強度が大幅に向上する。
【００４０】
このようにしてスラブ開口養生鉄筋２０が取り付けられた鉄筋組み込みデッキ１０にコンクリート打ちをすると、型枠鉄筋２５の内側にはコンクリートが流れ込まないので、そこに工事用穴が形成され、工事に必要なときは両移動鉄筋３１，３２を各々端へスライドさせて工事用穴を開くことができる。
【００４１】
そして、工事が終了して最後に工事用穴にコンクリートを流し込んで埋める際には、工事用穴形成のための型枠を改めて着脱することなく、型枠鉄筋２５を含めてスラブ開口養生鉄筋２０をそっくりコンクリート中に埋めてしまうことができ、第１の平行鉄筋２１，２２の間に取り付けられた筋交い状鉄筋２７によってその部分の厚み方向の十分な耐圧縮強度を確保することができる。
【００４２】
なお、本発明は上記実施例に限定されるものではなく、例えば、筋交い状鉄筋２７は第１の平行鉄筋２１，２２と第２の平行鉄筋２３，２４の少なくとも一方の側に設けられていればよい。
【００４３】
【発明の効果】
本発明によれば、移動鉄筋がスライド自在に係合する平行鉄筋が鉛直方向に間隔をあけて複数対配置され、その鉛直方向に間隔をあけて配置された平行鉄筋どうしが筋交い状鉄筋によって連結固定されていることにより、鉄筋コンクリート構造の床板の骨組みに鉄筋組み込みデッキを用いた場合でも、工事終了時に鉄筋コンクリート構造の床板部分の工事用穴を鉄筋コンクリートで容易に埋めて、その部分の厚み方向の耐圧縮強度を十分に確保することができる。
【図面の簡単な説明】
【図１】本発明の実施例の第１の平行鉄筋に対する五本の移動鉄筋の係合状態を示す斜視図である。
【図２】本発明の実施例のスラブ開口養生鉄筋が配置された鉄筋組み込みデッキの平面図である。
【図３】本発明の実施例の鉄筋組み込みデッキの部分側面図である。
【図４】本発明の実施例のスラブ開口養生鉄筋の基本的な骨組み部分の斜視図である。
【図５】本発明の実施例のスラブ開口養生鉄筋と鉄筋組み込みデッキとの連結部の部分正面図である。
【図６】本発明の実施例のスラブ開口養生鉄筋と鉄筋組み込みデッキとの連結部の部分平面図である。
【図７】本発明の実施例のスラブ開口養生鉄筋の型枠鉄筋の正面図である。
【図８】本発明の実施例の第２の平行鉄筋に対する一本の移動鉄筋の係合状態を示す斜視図である。
【図９】本発明の実施例の第１の平行鉄筋に対する一本の移動鉄筋の係合状態を示す斜視図である。
【図１０】本発明の実施例の第１の平行鉄筋に対する移動鉄筋の係合状態を示す側面図である。
【図１１】本発明の実施例の第１の平行鉄筋に対して移動鉄筋を固定するためのネジ止め部材の略示図である。
【符号の説明】
１０  鉄筋組み込みデッキ
２０  スラブ開口養生鉄筋
２１  第１の上側平行鉄筋
２２  第１の下側平行鉄筋
２３  第２の上側平行鉄筋
２４  第２の下側平行鉄筋
２５  型枠鉄筋
２６  四隅連結筋
２７  筋交い状鉄筋
３１  第１の移動鉄筋
３２  第２の移動鉄筋
３４  係合部材（ネジ止め部材）
３５  ボルト（ネジ止め部材）
【図１】
2005009223.tif 000003
【図２】
2005009223.tif 000004
【図３】
2005009223.tif 000005
【図４】
2005009223.tif 000006
【図５】
2005009223.tif 000007
【図６】
2005009223.tif 000008
【図７】
2005009223.tif 000009
【図８】
2005009223.tif 000010
【図９】
2005009223.tif 000011
【図１０】
2005009223.tif 000012
【図１１】
2005009223.tif 000013